(57)【特許請求の範囲】
【請求項１】
赤色ＬＥＤ素子と赤色以外の色の非赤色ＬＥＤ素子とを含む照明装置と、
前記照明装置の点灯を制御する照明制御部とを備え、
前記照明制御部は、赤色ＬＥＤ素子の点灯期間と非赤色ＬＥＤ素子の点灯期間とを少なくとも一部重複させる場合に、非赤色ＬＥＤ素子が消灯している状態で赤色ＬＥＤ素子の点灯が開始されるように、前記赤色ＬＥＤ素子および非赤色ＬＥＤ素子に電流を供給するタイミングを制御することを特徴とする照明器具。
【請求項２】
前記照明制御部は、赤色ＬＥＤ素子および非赤色ＬＥＤ素子をＰＷＭ制御にて点灯させ、赤色ＬＥＤ素子および非赤色ＬＥＤ素子を駆動する各ＰＷＭパルス信号は、非赤色ＬＥＤ素子を駆動するＰＷＭパルス信号の立ち下がり後に、赤色ＬＥＤ素子を駆動するＰＷＭパルス信号が立ち上がるように設定されていることを特徴とする請求項１に記載の照明器具。
【請求項３】
上記非赤色ＬＥＤ素子が、青色ＬＥＤ素子と黄色蛍光体とを含む白色ＬＥＤ素子、或いは青色ＬＥＤ素子と赤色蛍光体と緑色蛍光体とを含む電球色ＬＥＤ素子であることを特徴とする請求項１又は２に記載の照明器具。
【請求項４】
赤色ＬＥＤ素子と赤色以外の色の非赤色ＬＥＤ素子とを含む照明装置の制御方法であって、
赤色ＬＥＤ素子の点灯期間と非赤色ＬＥＤ素子の点灯期間とを少なくとも一部重複させる場合に、非赤色ＬＥＤ素子が消灯している状態で赤色ＬＥＤ素子の点灯が開始されるように、前記赤色ＬＥＤ素子および非赤色ＬＥＤ素子に電流を供給するタイミングを制御することを特徴とする照明装置の制御方法。
【発明の詳細な説明】
【技術分野】
【０００１】
本発明は、発光ダイオードを光源とした照明器具に関する。
【背景技術】
【０００２】
近年、環境意識の向上に伴い、白熱電球や蛍光灯に替わる新しい光源として、長寿命で光変換効率も高い発光ダイオード（以下、ＬＥＤと記載）が注目されている。
【０００３】
例えば、特許文献１には、白色ＬＥＤ素子に赤色ＬＥＤ素子とを組み合わせて備えることで、照明光として電球色を出すことが可能な照明装置および照明器具が開示されている。一般的な白色ＬＥＤ素子は、青色ＬＥＤ素子と黄色蛍光体を組み合わせたものであるため、赤色成分が不足するが、赤色ＬＥＤ素子を備えることで、電球色を出すことが可能となっている。
【０００４】
なお、本明細書においては、ＬＥＤ素子を備えるがその駆動回路までは搭載していないものを照明装置と定義し、照明装置と、該照明装置の点灯を制御する照明制御部と、これらが配設される器具本体とを備えたものを照明器具と定義する。
【先行技術文献】
【特許文献】
【０００５】
【特許文献１】特開２００８−３００１２４号公報（２００８年１２月１１日公開）
【発明の概要】
【発明が解決しようとする課題】
【０００６】
しかしながら、特許文献１の照明器具では、赤色ＬＥＤ素子を備えた照明装置を駆動するにあたり、赤色ＬＥＤ素子と赤色以外の色のＬＥＤ素子（特許文献１では白色ＬＥＤ素子）との発光タイミングについては何ら考慮されていない。そのため、赤色ＬＥＤ素子の劣化が加速されて、赤色ＬＥＤ素子の寿命が他の色のＬＥＤ素子の寿命と比べ短くなるため、照明装置として寿命が短くなる恐れがある。
【０００７】
その理由は、赤色ＬＥＤ素子を他の色のＬＥＤ素子と組み合わせて使用した場合、赤色ＬＥＤ素子が他の色のＬＥＤ素子からの光を受けて逆起電力を生じるためである。ＬＥＤ素子は電気エネルギーを光のエネルギーに変換するものであるが、光を当てると、逆に光のエネルギーを電気エネルギーに変換して太陽電池のような働きをする。赤色ＬＥＤ素子は、赤色よりも波長の短い紫、青、緑、黄、橙の光を受けて逆起電力を発生してしまう。赤色に限らず、ＬＥＤ素子は、逆起電力を発生している状態で駆動されることで、通常よりも大きな負荷がかかり素子劣化が早まる。
【０００８】
このような赤色ＬＥＤ素子を、白色ＬＥＤ素子６ａと組み合わせて用いた場合、赤色ＬＥＤ素子６ｃが白色ＬＥＤ素子６ａの光を受けて逆起電力を発生した状態で駆動する（点灯させる）と、赤色ＬＥＤ素子６ｃの劣化が進み、結局は照明装置として寿命が短くなってしまう。
【０００９】
なお、青色ＬＥＤ素子と黄色蛍光体、或いは青色ＬＥＤ素子と赤色及び緑色の各蛍光体よりなる白色ＬＥＤ素子には、このような逆起電力による素子劣化の問題はない。これは、赤色よりも波長の短い青色光を発する青色ＬＥＤ素子が赤色ＬＥＤ素子の光を受けて逆起電力を生じることはないためである。
【００１０】
本発明は、赤色ＬＥＤ素子と他の色のＬＥＤ素子とを組み合わせてなる照明装置を備えた照明器具において、赤色ＬＥＤ素子の劣化を抑制して照明装置の寿命を延ばすことができる照明器具を提供することを目的としている。
【課題を解決するための手段】
【００１１】
本発明の照明器具は、上記の課題を解決するために、赤色ＬＥＤ素子と赤色以外の色の非赤色ＬＥＤ素子とを含む照明装置と、前記照明装置の点灯を制御する照明制御部とを備え、前記照明制御部は、非赤色ＬＥＤ素子が消灯している状態で赤色ＬＥＤ素子の点灯が開始されるように、前記赤色ＬＥＤ素子および非赤色ＬＥＤ素子に電流を供給するタイミングを制御することを特徴としている。
【００１２】
これによれば、照明制御部が、赤色ＬＥＤ素子および非赤色ＬＥＤ素子に電流を供給するタイミングを制御することにより、赤色ＬＥＤ素子は非赤色ＬＥＤ素子が消灯している状態で点灯を開始する。したがって、赤色ＬＥＤ素子が非赤色ＬＥＤ素子の発光にて逆起電力を生じた状態で点灯が開始されることはなく、赤色ＬＥＤ素子の劣化を抑制し、照明装置の寿命を延ばすことができる。
【００１３】
また、赤色ＬＥＤ素子と非赤色ＬＥＤ素子とで点灯開始のタイミングをずらすことで、赤色ＬＥＤ素子および非赤色ＬＥＤ素子に突入電流が流れることを効果的に回避することができ、これによっても赤色ＬＥＤ素子の劣化を抑制して、照明装置の寿命を延ばすことができる。
【００１４】
本発明の照明器具においては、さらに、前記照明制御部は、赤色ＬＥＤ素子および非赤色ＬＥＤ素子をＰＷＭ制御にて点灯させ、赤色ＬＥＤ素子および非赤色ＬＥＤ素子を駆動する各ＰＷＭパルス信号は、非赤色ＬＥＤ素子を駆動するＰＷＭパルス信号の立ち下がり後に、赤色ＬＥＤ素子を駆動するＰＷＭパルス信号が立ち上がるように設定されている構成とすることもできる。
【００１５】
ＬＥＤ素子をＰＷＭ制御にて点灯させる場合、ＰＷＭパルス信号のパルス毎に点灯・消灯が繰り返され点滅駆動される。点滅駆動における点灯のタイミングは、ＰＷＭパルス信号のパルスの立ち上がりとなり、消灯のタイミングは、ＰＷＭパルス信号のパルスの立ち下がりとなる。点滅駆動の場合、点灯回数が多くなり、赤色ＬＥＤ素子が逆起電力を生じた状態での点灯開始が繰り返し行われると、赤色ＬＥＤ素子の劣化が加速される。
【００１６】
上記構成によれば、非赤色ＬＥＤ素子を駆動するＰＷＭパルス信号の立ち下がり後に、赤色ＬＥＤ素子を駆動するＰＷＭパルス信号を立ち上がらせているので、点滅駆動においても、非赤色ＬＥＤ素子が消灯後に、赤色ＬＥＤ素子が点灯を開始するので、赤色ＬＥＤ素子の劣化を効果的に抑制し、照明装置の寿命を延ばすことができる。
【００１７】
上記非赤色ＬＥＤ素子は、例えば、青色ＬＥＤ素子と黄色蛍光体とからなる白色ＬＥＤ素子、或いは青色ＬＥＤ素子と赤色蛍光体および緑色蛍光体からなる電球色ＬＥＤ素子とすることができる。白色ＬＥＤ素子も電球色ＬＥＤ素子も、青色ＬＥＤ素子を含んでいる。青色ＬＥＤ素子から発せられる青色光の波長は短いため、青色光を受光した赤色ＬＥＤ素子はより大きな逆起電力を発生し劣化もしやすい。本発明の構成を採用することで、効果的に赤色ＬＥＤ素子の劣化を抑制して、照明装置の寿命を延ばすことができる。
【発明の効果】
【００１８】
本発明によれば、赤色ＬＥＤ素子と他の色のＬＥＤ素子とを組み合わせてなる照明装置を備えた照明器具において、赤色ＬＥＤ素子の劣化を抑制して照明装置の寿命を延ばし得る照明器具を提供できるという効果を奏する。
【図面の簡単な説明】
【００１９】
【図１】本発明の実施形態の照明器具を示す斜視図である。
【図２】本発明の実施形態の照明器具の光源基板を示す平面図である。
【図３】本発明の実施形態の照明器具の構成を示すブロック図である。
【図４】本発明の実施形態の照明器具のＬＥＤ素子発光機構の構成を示す説明図である。
【図５】本発明の実施形態の照明器具で実施される、白色ＬＥＤ素子と赤色ＬＥＤ素子とを組み合わせて点灯させてその合成光を照明光として照射するある照明モードにおける、白色ＬＥＤ素子および赤色ＬＥＤ素子の各ＰＷＭパルス信号を示すタイミングチャートである。
【図６】本発明の実施形態の照明器具で実施される、白色ＬＥＤ素子と赤色ＬＥＤ素子とを組み合わせて点灯させてその合成光を照明光として照射するある照明モードにおける、白色ＬＥＤ素子および赤色ＬＥＤ素子の各ＰＷＭパルス信号を示す別のタイミングチャートである。
【発明を実施するための形態】
【００２０】
以下、本発明の実施形態を、図面を参照して説明する。図１は照明器具を下方から見た全体斜視図である。照明器具１００はシーリングライトを構成し、室内の天井面に取り付けられる。照明器具１００は室内の側壁に取り付けられる照明器具であってもよい。
【００２１】
照明器具１００は上方に位置する室内天井面に固定される円形をなす略板状の本体１と、リモートコントローラ（不図示）とを備え、下方の室内床面を照明する。本体１は光源基板２と、反射板３と、フレーム４と、照明制御部５と、拡散レンズ（不図示）と、カバー（不図示）とを備えている。
【００２２】
光源基板２は平面視矩形に形成され、本体１に対して垂直または略垂直に起立した状態でフレーム４を介して本体１の下面に取り付けられている。光源基板２の表面には複数のＬＥＤ（Light Emitting Diode）素子（６ａ、６ｂ、６ｃ、図２参照）が設けられている。以下の説明において、白色ＬＥＤ素子６ａ、電球色ＬＥＤ素子６ｂ及び赤色ＬＥＤ素子６ｃを総称してＬＥＤ素子６という場合がある。光源基板２とフレーム４とで照明装置が構成される。
【００２３】
反射板３は、図１に示すように本体１の下面であって、光源基板２の径方向外側部分に設けられている。反射板３はＬＥＤ素子６が出射した光を床面方向に向かって反射させ、その反射光が床面を照射する。これにより、床面全体の照度が得られる。
【００２４】
フレーム４は本体１の上下に延びる中心軸線を中心とする正多角形（例えば図１では正八角形）または略正多角形をなしている。このフレーム４の正八角形の各辺に、ＬＥＤ素子６の光の出射方向が径方向外側を向くように光源基板２が取り付けられている。ＬＥＤ素子６は本体１の中心に対して放射状に径方向外側に向かって光を出射し、その光が反射板３に反射される。
【００２５】
照明制御部５は電源回路（図３参照）等を含む制御基板（不図示）を有し、フレーム４の径方向内側に配置されている。照明制御部５は本体１の径方向中心部に設けられた図示しない電源コネクタに接続され、この電源コネクタを介して外部電源から電力の供給を受ける。そして、照明制御部５はその電力をＬＥＤ素子６に供給してＬＥＤ素子６を発光させる。照明制御部５は、照明装置の点灯を制御する。
【００２６】
なお、図１では、便宜上図示していないが、拡散レンズは光源基板２の発光面の前面に取り付けられている。拡散レンズは、ＬＥＤ素子６が出射する光を均一に拡散させる。カバーは本体１の外径と略同径の円形をなし、本体１の周縁部に嵌合して保持されて本体１の下面全域を覆っている。カバーはＬＥＤ素子６が出射する光をさらに拡散させるとともに、人がその光を直視することを回避している。
【００２７】
このようにして、照明器具１００はＬＥＤ素子６が直接床面を照射しないので、人が天井方向を向いて照明を直視した場合でもＬＥＤ素子６の光が人の目に直接差し込み難く、目の負担を抑えることができる。
【００２８】
図２は光源基板２の平面図を示している。光源基板２にはそれぞれ複数の白色ＬＥＤ素子（非赤色ＬＥＤ素子）６ａ、電球色ＬＥＤ素子（非赤色ＬＥＤ素子）６ｂ及び赤色ＬＥＤ素子６ｃが例えば略横一列に並べて配置されている。本実施形態では９個の白色ＬＥＤ素子６ａと４個の電球色ＬＥＤ素子６ｂと３個の赤色ＬＥＤ素子６ｃが光源基板２に実装される。
【００２９】
ＬＥＤ素子６の配置や間隔等は反射板３への発光の均一性に影響を及ぼす。反射板３への発光が不均一になる場合、照度ムラなどが生じて照明器具１００の照明品質が低下することになる。特に、各ＬＥＤ素子６が異なる色で発光してその組み合わせで調色を行う場合、照度の不均一さが色ムラの原因となり照明器具１００の照明品質に大きく影響する。そのため、異なる色で発光する複数のＬＥＤ素子６を用いる場合、特にその配置や間隔が重要となる。
【００３０】
白色ＬＥＤ素子６ａは白色を発光するもので、青色ＬＥＤと黄色蛍光体とからなる。電球色ＬＥＤ素子６ｂは電球色で発光するもので、青色ＬＥＤと緑色蛍光体および赤色蛍光体とからなる。より詳しくは電球色ＬＥＤ素子６ｂは国際照明委員会が定めるｘｙ色度図上の点（０．４４５，０．４０８）を中心とするマグアダム楕円５−ｓｔｅｐで表される等色範囲の属する色で発光する。赤色ＬＥＤ素子６ｃは赤色で発光する。より詳しくは赤色ＬＥＤ素子６ｃは波長の極大値が５７５ｎｍ〜７８０ｎｍである色で発光する。
【００３１】
ここで、電球色ＬＥＤ素子６ｂの色は上記のようにｘｙ色度図上の点（０．４４５，０．４０８）を中心とするマグアダム楕円５−ｓｔｅｐで表される等色範囲の属する色であってある程度のばらつきがある。また、赤色ＬＥＤ素子６ｃの色も上記のように波長の極大値が５７５ｎｍ〜７８０ｎｍであってある程度の範囲がある。
【００３２】
このため、図２に示したように複数の白色ＬＥＤ素子６ａ、複数の電球色ＬＥＤ素子６ｂ及び複数の赤色ＬＥＤ素子６ｃを光源基板２に実装して発色のばらつきを抑えることができる。なお、色の異なる複数のＬＥＤ素子を１つのＬＥＤ素子として構成してもよい。
【００３３】
続いて、照明器具１００の制御に係る詳細な構成について、図２に加えて図３及び図４を用いて説明する。図３は照明器具１００の構成を示すブロック図、図４は照明器具１００のＬＥＤ素子発光機構の構成を示す説明図である。
【００３４】
照明制御部５は、図３に示すように電源回路１０を備えている。電源回路１０は交流電源（ＡＣ入力、１００Ｖ）から電力の供給を受けて直流電圧に変換し、照明器具１００の各部に電力を供給する。なお、本実施形態において、電源回路１０は一例として制御電源供給回路１４及び光源基板２に電力を供給しているように示しているが、特にこれに限らず他の部位に対しても必要な電力が供給されるものとする。
【００３５】
照明制御部５は電源回路１０に加えて、ＣＰＵ（Central Processing Unit）１１と、
メモリ１２と、ＰＷＭ（Pulse Width Modulation）制御回路１３と、制御電源供給回路１４と、入力部１５とを備えている。一例としてＣＰＵ１１、メモリ１２及びＰＷＭ制御回路１３はマイクロコンピュータによって構成される。
【００３６】
ＣＰＵ１１は各部と接続されるとともに、照明器具１００全体を制御するために必要な動作を指示する。ＣＰＵ１１は図示しないスイッチと無線または有線にて接続され、入力部１５にて当該スイッチの操作に応答した指示入力を受け付ける。
【００３７】
メモリ１２は照明器具１００を制御するための各種プログラム及び初期値等が格納されるとともに、ＣＰＵ１１のワーキングメモリとしても用いられる。
【００３８】
ＰＷＭ制御回路１３はＣＰＵ１１からの指示に従ってＬＥＤ素子６を駆動するために必要なＰＷＭパルスを生成する。
【００３９】
制御電源供給回路１４は電源回路１０から供給される電力の電圧をＣＰＵ１１に供給するために調整する。
【００４０】
光源基板２には前述のように白色ＬＥＤ素子６ａと電球色ＬＥＤ素子６ｂと赤色ＬＥＤ素子６ｃとの３種類のＬＥＤ素子６が配置されるとともに、各ＬＥＤ素子６を駆動するためのＦＥＴ（Field Effect Transistor）スイッチ２１、２２、２３が配置されている。
【００４１】
なお、説明の便宜上、図３には白色ＬＥＤ素子６ａと電球色ＬＥＤ素子６ｂと赤色ＬＥＤ素子６ｃとをそれぞれ１つずつ描画しているが、図２のように白色ＬＥＤ素子６ａと電球色ＬＥＤ素子６ｂと赤色ＬＥＤ素子６ｃはそれぞれ複数設けられる。また、ＦＥＴスイッチ２１、２２、２３はＰＷＭ制御回路１３にあっても良い。
【００４２】
次に、ＬＥＤ素子６の発光機構の詳細について説明する。ＣＰＵ１１はＰＷＭ制御回路１３に指示し、白色ＬＥＤ素子６ａと電球色ＬＥＤ素子６ｂと赤色ＬＥＤ素子６ｃとの少なくとも１種類を発光させるためのＰＷＭパルス信号Ｍ１、Ｍ２、Ｍ３を生成して出力する。
【００４３】
白色ＬＥＤ素子６ａ、電球色ＬＥＤ素子６ｂ及び赤色ＬＥＤ素子６ｃは電源回路１０から必要な電力の供給を受ける。白色ＬＥＤ素子６ａ、電球色ＬＥＤ素子６ｂ及び赤色ＬＥＤ素子６ｃと接地電圧ＧＮＤとの間にはＦＥＴスイッチ２１、２２、２３がそれぞれ設けられている。
【００４４】
ＰＷＭパルス信号Ｍ１、Ｍ２、Ｍ３に応答してＦＥＴスイッチ２１、２２、２３が導通、非導通となることにより白色ＬＥＤ素子６ａ、電球色ＬＥＤ素子６ｂ、赤色ＬＥＤ素子６ｃに電流が供給、遮断される。
【００４５】
ＰＷＭパルス信号Ｍ１が白色ＬＥＤ素子６ａの点灯させるもので、ＰＷＭパルス信号Ｍ２が電球色ＬＥＤ素子６ｂ、ＰＷＭパルス信号Ｍ３が赤色ＬＥＤ素子６ｃの点灯させるものである。
【００４６】
パルスの立ち上がりでＬＥＤ素子６への電流の供給が開始され、パルスの立ち下がりでＬＥＤ素子６への電流の供給が遮断される。白色ＬＥＤ素子６ａ、電球色ＬＥＤ素子６ｂ、赤色ＬＥＤ素子６ｃに電流が供給されると、これらＬＥＤ素子６はそれぞれ発光する。
【００４７】
また、ＰＷＭパルス信号Ｍ１、Ｍ２、Ｍ３におけるパルスの重なり領域の大きさで調色（色の調整）が成され、ＰＷＭパルス信号Ｍ１、Ｍ２、Ｍ３のパルス電圧を変化させることで調光（光の強さの調整）が成される。
【００４８】
そして、詳細については後述するが、ＣＰＵ１１はＰＷＭ制御回路１３に対し、非赤色ＬＥＤ素子である白色ＬＥＤ素子６ａあるいは電球色ＬＥＤ素子６ｂあるいはその両方と、赤色ＬＥＤ素子６ｃとを点灯させてその合成光を照明光として照射するにおいては、合成光を生成する相手側のＬＥＤ素子６が消灯している状態で赤色ＬＥＤ素子６ｃの点灯が開始されるように、相手側のＬＥＤ素子６および赤色ＬＥＤ素子６ｃへ電流を供給するタイミングの制御を指示する。
【００４９】
赤色ＬＥＤ素子６ｃが白色ＬＥＤ素子６ａとで合成光を生成する場合は、白色ＬＥＤ素子６ａが消灯している状態で赤色ＬＥＤ素子６ｃの点灯を開始させるよう指示する。電球色ＬＥＤ素子６ｂと合成光を生成する場合は、電球色ＬＥＤ素子６ｂが消灯している状態で赤色ＬＥＤ素子６ｃの点灯を開始させるよう指示する。白色ＬＥＤ素子６ａおよび電球色ＬＥＤ素子６ｂの両方と合成光を生成する場合は、白色ＬＥＤ素子６ａおよび電球色ＬＥＤ素子６ｂの両方が消灯している状態で赤色ＬＥＤ素子６ｃの点灯を開始させるよう指示する。
【００５０】
これにより、ＰＷＭ制御回路１３は、白色ＬＥＤ素子６ａと赤色ＬＥＤ素子６ｃとを組み合わせて点灯させる場合は、白色ＬＥＤ素子６ａを点灯させるＰＷＭパルス信号Ｍ１の立ち下がり後に、赤色ＬＥＤ素子６ｃを点灯させるＰＷＭパルス信号Ｍ３が立ち上がるＰＷＭパルス信号Ｍ１、Ｍ３を生成する。
【００５１】
同様に、ＰＷＭ制御回路１３は、電球色ＬＥＤ素子６ｂと赤色ＬＥＤ素子６ｃとを組み合わせて点灯させる場合は、電球色ＬＥＤ素子６ｂを点灯させるＰＷＭパルス信号Ｍ２の立ち下がり後に、赤色ＬＥＤ素子６ｃを点灯させるＰＷＭパルス信号Ｍ３が立ち上がるＰＷＭパルス信号Ｍ２、Ｍ３を生成する。
【００５２】
同様に、ＰＷＭ制御回路１３は、白色ＬＥＤ素子６ａおよび電球色ＬＥＤ素子６ｂと赤色ＬＥＤ素子６ｃとを組み合わせて点灯させる場合は、白色ＬＥＤ素子６ａを点灯させるＰＷＭパルス信号Ｍ１および電球色ＬＥＤ素子６ｂを点灯させるＰＷＭパルス信号Ｍ２の立ち下がり後に、赤色ＬＥＤ素子６ｃを点灯させるＰＷＭパルス信号Ｍ３が立ち上がるＰＷＭパルス信号Ｍ１、Ｍ２、Ｍ３を生成する。
【００５３】
なお、白色ＬＥＤ素子６ａ、電球色ＬＥＤ素子６ｂ、赤色ＬＥＤ素子６ｃを発光させる構成について説明したが、他のＬＥＤ素子がさらに複数個設けられている場合についても同様である。
【００５４】
上記発光機構によって各ＬＥＤ素子６がリモートコントローラ（不図示）の操作に応じた光量で発光し、複数の照明色の照明光が照射される。
【００５５】
例えば、照明器具１００は黄赤色の照明色またはオレンジピンク色の照明色の照明光を照射する。これにより、居室内のユーザのメラトニン分泌を妨げず、副交感神経を優位にすることができる。その結果、照明器具１００は就寝時の入眠潜時を短縮して沿う睡眠時間が延長され、睡眠効率を向上することができる。また、照明器具１００は休憩時や団欒時にくつろぎと癒やしをもたらして蓄積された疲労感を軽減することができる。なお、「黄赤色」及び「オレンジピンク色」はＪＩＳ規格（ＪＩＳ  Ｚ  ８１１０）で規定される光源色に相当する。
【００５６】
上記構成の照明器具１００は複数の照明モードを備えている。そして、照明器具１００において、リモートコントローラによって所望の照明モードが選択される。これにより、ＣＰＵ１１は白色ＬＥＤ素子６ａ、電球色ＬＥＤ素子６ｂ、赤色ＬＥＤ素子６ｃが予め規定された強度で発光するようにＰＷＭ制御回路１３に指示する。ＰＷＭ制御回路１３はＣＰＵ１１の指示によりＰＷＭパルス信号Ｍ１、Ｍ２、Ｍ３を出力させ、各照明モードに応じた照明色となるよう調色する。
【００５７】
次に、図５、図６を用いて、赤色ＬＥＤ素子６ｃと、白色ＬＥＤ素子６ａとを組み合わせて点灯させ、その合成光を照明光として照射する照明モードにおける、ＬＥＤ素子６に電流を供給するタイミングの制御について説明する。なお、白色ＬＥＤ素子６ａに代えて赤色ＬＥＤ素子６ｃと電球色ＬＥＤ素子６ｂとを組み合わせる場合も同じである。
【００５８】
以下において説明するＬＥＤ素子６のオン・オフは、リモートコントローラの操作で選択された照明モードにおける照明光の照射開始から照射終了までの間に、ＰＷＭ制御によって点滅駆動されるＬＥＤ素子６のパルス毎の点灯（オン）・消灯（オフ）を意味するものである。照明光の照射開始である照明装置の点灯、照明光の照射終了である照明装置の消灯と区別するために、オフ・オフで表現する。
【００５９】
図５は、白色ＬＥＤ素子６ａと赤色ＬＥＤ素子６ｃとを組み合わせて点灯させてその合成光を照明光として照射するある照明モードにおける、赤色ＬＥＤ素子６ｃのＰＷＭパルス信号Ｍ３と白色ＬＥＤ素子６ａのＰＷＭパルス信号Ｍ１のタイミングチャートである。
【００６０】
図５に示すように、白色ＬＥＤ素子６ａと赤色ＬＥＤ素子６ｃとの両方を点灯させる場合、白色ＬＥＤ素子６ａと赤色ＬＥＤ素子６ｃとを組み合わせて点灯させる場合は、白色ＬＥＤ素子６ａを点灯させるＰＷＭパルス信号Ｍ１の立ち下がり後に、赤色ＬＥＤ素子６ｃを点灯させるＰＷＭパルス信号Ｍ３が立ち上がるように設定される。
【００６１】
これにより、赤色ＬＥＤ素子６ｃは、白色ＬＥＤ素子６ａがオフしている状態でオンすることとなり、赤色ＬＥＤ素子６ｃが白色ＬＥＤ素子６ａの発光にて逆起電力を生じた状態でオンされることはなく、赤色ＬＥＤ素子６ｃの劣化を抑制し、照明装置の寿命を延ばすことができる。
【００６２】
また、１つの電源回路１０にて、赤色ＬＥＤ素子６ｃと白色ＬＥＤ素子６ａとを点灯させるにあたり、赤色ＬＥＤ素子６ｃと白色ＬＥＤ素子６ａとを同時にオンすると、赤色ＬＥＤ素子６ｃおよび白色ＬＥＤ素子６ａには、突入電流が流れ易くなる。また、突入電流が流れると電源回路１０にも負荷がかかる。
【００６３】
上記のように、赤色ＬＥＤ素子６ｃと白色ＬＥＤ素子６ａとでオンのタイミングをずらすことで、赤色ＬＥＤ素子６ｃおよび白色ＬＥＤ素子６ａに突入電流が流れることを効果的に回避することがで、これによってもＬＥＤ素子６の劣化を抑制できる。
【００６４】
ＰＷＭパルス信号Ｍ１，Ｍ２におけるパルスのオン電圧は、白色ＬＥＤ素子６ａおよび赤色ＬＥＤ素子６ｃに供給される電流量を決定する。パルスのオン電圧が高くなるほど、白色ＬＥＤ素子６ａおよび赤色ＬＥＤ素子６ｃには大きな電流が供給される。白色ＬＥＤ素子６ａおよび赤色ＬＥＤ素子６ｃから発せられる光の強さの調整（調光）は、ＰＷＭパルス信号Ｍ１，Ｍ２におけるパルスのオン電圧Ｖ１を変化させることで実施される。なお、図５の波形は、ＰＷＭパルス信号Ｍ１，Ｍ３もパルスのオン電圧はフルのＶ１に設定されており、調光無しの状態である。
【００６５】
また、白色ＬＥＤ素子６ａおよび赤色ＬＥＤ素子６ｃから発生られる光の合成光における色の調整（調光）は、ＰＷＭパルス信号Ｍ１、Ｍ３における互いのパルスの重なり領域（図５の斜線を付した領域）の大きさを変えることで実施される。図５は、重なり領域が形成された調色ありの状態である。
【００６６】
なお、図５の波形は、ＰＷＭパルス信号Ｍ１、Ｍ３として、周期及びデューティ比が等しい信号を例示している。そのため、赤色ＬＥＤ素子６ｃを点灯させるＰＷＭパルス信号Ｍ３の立ち下がり後に、白色ＬＥＤ素子６ａを点灯させるＰＷＭパルス信号Ｍ１が立ち下がっている。しかしながら、ＰＷＭパルス信号Ｍ１、Ｍ３の、周期或いはデューティ比が異なる場合、ＰＷＭパルス信号Ｍ３の立ち下がりよりも前にＰＷＭパルス信号Ｍ１が立ち下がってもよい。
【００６７】
要は、白色ＬＥＤ素子６ａを点灯させるＰＷＭパルス信号Ｍ１の立ち下がり後に、赤色ＬＥＤ素子６ｃを点灯させるＰＷＭパルス信号Ｍ３が立ち上がればよい（設定条件）。但し、赤色ＬＥＤ素子６ｃと、白色ＬＥＤ素子６ａ或いは電球色ＬＥＤ素子６ｂ或いはその両方とを、ＰＷＭ制御で点灯し、それらの合成光を照明光として照射するにあたっては、先の設定条件を満足できない場合も考えられる。そのような場合でも、極力、先の設定条件を満足するように、ＰＷＭパルス信号Ｍ１、Ｍ２、Ｍ３を設定することで、赤色ＬＥＤ素子６ｃの劣化を極力抑制でき、照明装置の寿命を延ばして、ひいては照明器具１００の寿命を延ばすことができる。
【００６８】
一方、図６は、白色ＬＥＤ素子６ａと赤色ＬＥＤ素子６ｃとを組み合わせて点灯させてその合成光を照明光として照射するある照明モードにおける、赤色ＬＥＤ素子６ｃのＰＷＭパルス信号Ｍ３と、白色ＬＥＤ素子６ａのＰＷＭパルス信号Ｍ１の、別のタイミングチャートである。図６の波形は、調色および調光が共になされている状態である。
【００６９】
図６に示すように、赤色ＬＥＤ素子６ｃのＰＷＭパルス信号Ｍ３のオン電圧がＶ２に設定され、白色ＬＥＤ素子６ａのＰＷＭパルス信号Ｍ１のオン電圧もＶ３に設定されている。オン電圧もＶ１であった図５に比べて、赤色ＬＥＤ素子６ｃおよび白色ＬＥＤ素子６ａの光の強さが弱められている。
【００７０】
また、上記の説明においては、ＬＥＤ素子６をＰＷＭ制御にて点滅駆動し、調光・調色もＰＷＭ制御において実施する構成を例示したが、駆動方式はこれに限らず、また・調光・調色を電流値を調整する方法で実施する構成であってもよい。
【００７１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７２】
本発明は、発光ダイオードを光源とした照明器具に関する。
【符号の説明】
【００７３】
１  本体
２  光源基板
３  反射板
４  フレーム
５  照明制御部
６  ＬＥＤ素子
６ａ  白色ＬＥＤ素子
６ｂ  電球色ＬＥＤ素子
６ｃ  赤色ＬＥＤ素子
１０  電源回路
１１  ＣＰＵ
１２  メモリ
１３  ＰＷＭ制御回路
１４  制御電源供給回路
１５  入力部
２１  ＦＥＴスイッチ
１００  照明器具
【図１】
0005889680.tif 000002
【図２】
0005889680.tif 000003
【図３】
0005889680.tif 000004
【図４】
0005889680.tif 000005
【図５】
0005889680.tif 000006
【図６】
0005889680.tif 000007